(57)【要約】      （修正有）【課題】外圧に対する強度またはモジュールに対するクリアランスを確保して、薄型化を図ることができる蓋部材およびそれを備えた時計を提供する。【解決手段】時計モジュールを収容する腕時計ケースの下側開口部を塞ぐ蓋本体２３を備え、この蓋本体２３における時計モジュールの外径よりも内側に対応する箇所に、蓋本体２３の外面における平面を第１基準面９ａとして、この第１基準面９ａよりも外面側に突出する凸部２５と、蓋本体２３の内面における平面を第２基準面９ｂとして、この第２基準面９ｂよりも外面側に向けて窪む凹部２６と、が設けられている。従って、凸部２５によって蓋本体２３の強度を確保して水圧などの外圧による蓋本体２３の変形を抑制できる。また、凹部２６によって時計モジュールに対するクリアランスを確保して蓋本体２３の肉厚を薄く形成できる。これにより、腕時計全体の薄型化が図れる。【選択図】図５
2019168407.tif 000002
【特許請求の範囲】
【請求項１】
モジュールを収容するケースの開口部を塞ぐ蓋本体を備え、
前記モジュールの外径よりも内側に対応する前記蓋本体の箇所には、前記蓋本体の外面における平面を第１基準面として、前記第１基準面よりも前記外面側に突出する凸部と、前記蓋本体の内面における平面を第２基準面として、前記第２基準面よりも前記外面側に向けて窪む凹部とのうち、少なくとも一方が設けられていることを特徴とする蓋部材。
【請求項２】
請求項１に記載の蓋部材において、前記凸部と前記凹部との両方を備えていることを特徴とする蓋部材。
【請求項３】
請求項１または請求項２に記載の蓋部材において、前記凸部は、前記蓋本体の中心部に向けて緩やかに湾曲して前記ケースの外部側に突出する湾曲凸形状に形成されていることを特徴とする蓋部材。
【請求項４】
請求項１〜請求項３のいずれかに記載の蓋部材において、前記凹部は、前記凸部に対応した状態で、前記蓋本体の中心部に向けて緩やかに湾曲して前記ケースの外部側に向けて窪む湾曲凹形状に形成されていることを特徴とする蓋部材。
【請求項５】
請求項３または請求項４に記載の蓋部材において、前記凸部の外周部または前記凹部の外周部には、溝部が設けられていることを特徴とする蓋部材。
【請求項６】
請求項１〜請求項５のいずれかに記載の蓋部材において、前記モジュールはアンテナを備えており、前記凹部は前記アンテナに対応するアンテナ凹部を備えていることを特徴とする蓋部材。
【請求項７】
請求項１〜請求項６のいずれかに記載の蓋部材において、前記蓋本体の外周部には、前記ケースに前記蓋本体を取り付けるための取付部が設けられていることを特徴とする蓋部材。
【請求項８】
請求項１〜請求項７のいずれかに記載された蓋部材を備えていることを特徴とする時計。
【発明の詳細な説明】
【技術分野】
【０００１】
この発明は、腕時計などの時計に用いられる蓋部材およびそれを備えた時計に関する。
【背景技術】
【０００２】
例えば、腕時計においては、特許文献１に記載されているように、時計モジュールを収容する腕時計ケースの上部開口に時計ガラスを取り付け、腕時計ケースの下部に裏蓋を取り付けることにより、腕時計ケースの内部に収容された時計モジュールを保護する構造のものが知られている。
【先行技術文献】
【特許文献】
【０００３】
【特許文献１】特開２０１０−２４９７１６号公報
【発明の概要】
【発明が解決しようとする課題】
【０００４】
このような腕時計では、裏蓋が水圧などの外圧を受けて変形すると、裏蓋が腕時計ケース内に収容された時計モジュールを押圧して破損する恐れがあるため、裏蓋と時計モジュールとの間に十分なクリアランスを設けるか、あるいは裏蓋の肉厚を十分に厚くする必要がある。このため、腕時計全体の厚みが厚くなるという問題がある。
【０００５】
この発明が解決しようとする課題は、外圧に対する強度またはモジュールに対するクリアランスを確保して、薄型化を図ることができる蓋部材およびそれを備えた時計を提供することである。
【課題を解決するための手段】
【０００６】
この発明は、モジュールを収容するケースの開口部を塞ぐ蓋本体を備え、前記モジュールの外径よりも内側に対応する前記蓋本体の箇所には、前記蓋本体の外面における平面を第１基準面として、前記第１基準面よりも前記外面側に突出する凸部と、前記蓋本体の内面における平面を第２基準面として、前記第２基準面よりも前記外面側に向けて窪む凹部とのうち、少なくとも一方が設けられていることを特徴とする蓋部材である。
【発明の効果】
【０００７】
この発明によれば、外圧に対する強度またはモジュールに対するクリアランスを確保して、薄型化を図ることができる。
【図面の簡単な説明】
【０００８】
【図１】この発明を腕時計に適用した第１実施形態を示した拡大正面図である。
【図２】図１に示された腕時計のＡ−Ａ矢視における要部を示した拡大断面図である。
【図３】図２に示されたスイッチ装置における筒状部材を示し、（ａ）は筒状部材を腕時計ケースの内部側から見た拡大斜視図、（ｂ）は筒状部材を腕時計ケースの外部側から見た拡大斜視図である。
【図４】図２に示された裏蓋を左斜め上方から見た拡大斜視図である。
【図５】図４に示された裏蓋を示し、（ａ）はその拡大平面図、（ｂ）は（ａ）のＢ−Ｂ矢視における拡大断面図である。
【図６】この発明を腕時計に適用した第２実施形態において、裏蓋を左斜め上方から見た拡大斜視図である。
【図７】図６に示された裏蓋を示し、（ａ）はその拡大平面図、（ｂ）は（ａ）のＣ−Ｃ矢視における拡大断面図である。
【図８】この発明を適用した腕時計の裏蓋の変形例を示した拡大断面図である。
【発明を実施するための形態】
【０００９】
（第１実施形態）
以下、図１〜図５を参照して、この発明を腕時計に適用した第１実施形態について説明する。
この腕時計は、図１に示すように、腕時計ケース１を備えている。この腕時計ケース１の１２時側と６時側とには、バンド取付部２がそれぞれ設けられている。この腕時計ケース１の３時側には、スイッチ装置３が設けられており、この腕時計ケース１の２時側と４時側とには、押釦スイッチ４がそれぞれ設けられている。
【００１０】
この場合、腕時計ケース１は、図２に示すように、本体ケース５とベゼルケース６とを備えている。本体ケース５は、ステンレスなどの金属で形成されている。ベゼルケース６は、本体ケース５と同様、ステンレスなどの金属で形成され、本体ケース５の上部に防水パッキン７を介して設けられている。この場合、本体ケース５とベゼルケース６とは、本体ケース５上にベゼルケース６が配置された状態で、両方の境界部における内周面がレーザ光線の照射による溶接部Ｒによって接合されている。
【００１１】
また、腕時計ケース１の上側開口部、つまりベゼルケース６の上側開口部には、図２に示すように、時計ガラス８がガラスパッキン８ａを介して取り付けられている。この腕時計ケース１の下部、つまり本体ケース５の下部には、蓋部材である裏蓋９が蓋パッキン１０を介して取り付けられている。
【００１２】
この腕時計ケース１の内部には、図２に示すように、時計モジュール１１が収納されている。この時計モジュール１１は、図示しないが、指針を運針させて時刻を指示させる時計ムーブメント、時刻などの情報を電気光学的に表示する平面型の表示パネル、これらを駆動して制御する回路基板などの時計機能に必要な各種の部品を備えている。
【００１３】
ところで、腕時計ケース１の３時側に設けられたスイッチ装置３は、図２に示すように、腕時計ケース１の本体ケース５に設けられた貫通孔１２に嵌め込まれた筒状部材１３と、この筒状部材１３にスライド可能に挿入された操作軸１４と、この操作軸１４の外端部に設けられた操作頭部１５と、を備えている。
【００１４】
筒状部材１３は、図２および図３に示すように、腕時計ケース１の貫通孔１２に圧入によって嵌め込まれる小径筒部１６と、腕時計ケース１の外部に突出する大径筒部１７と、を備えている。小径筒部１６は、外径が貫通孔１２の内径と同じ大きさに形成され、軸方向の長さが貫通孔１２の軸方向の長さよりも長く形成されている。これにより、小径筒部１６は、貫通孔１２内に嵌め込まれて大径筒部１７の内端部が腕時計ケース１の外面に当接した際に、小径筒部１６の内端部が腕時計ケース１内に突出するように形成されている。
【００１５】
大径筒部１７は、図２および図３に示すように、外径が貫通孔１２の内径および小径筒部１６の外径よりも大きく、かつ内径が小径筒部１６の内径と同じ大きさで形成され、軸方向の長さが小径筒部１６の軸方向の長さとほぼ同じ長さで形成されている。これにより、大径筒部１７は、小径筒部１６が貫通孔１２内に嵌め込まれて大径筒部１７の内端面が腕時計ケース１の外面に当接した状態で、腕時計ケース１の外部に突出して配置されるように形成されている。
【００１６】
この場合、小径筒部１６は、図２および図３に示すように、腕時計ケース１の内部に突出した内端部の下側半分に切欠き部１６ａが設けられていることにより、腕時計ケース１の内部に突出した内端部が半円筒状に形成されている。このため、大径筒部１７の外端部には、小径筒部１６の切欠き部１６ａの位置を確認するための位置合せ部１７ａが設けられている。この位置合せ部１７ａは、大径筒部１７の外端部における上部に設けられた切欠き部であるが、単純な目印としてのマーク部であっても良い。
【００１７】
操作軸１４は、図２に示すように、内径が筒状部材１３の内径、つまり小径筒部１６と大径筒部１７との各内径と同じ大きさで、軸方向の長さが筒状部材１３の軸方向の長さよりも長く形成されている。これにより、操作軸１４は、筒状部材１３内に挿入された際に、内端部が小径筒部１６から腕時計ケース１内に突出し、外端部が大径筒部１７から腕時計ケース１の外部に突出するように構成されている。
【００１８】
この場合、操作軸１４は、図２に示すように、外周面に複数の第１防水リング１８が設けられ、これら複数の第１防水リング１８の外周部が筒状部材１３の内周面に圧接した状態で、軸方向に摺動することにより、筒状部材１３内にスライド可能で且つ回転可能な状態で取り付けられている。また、この操作軸１４の内端部には、巻真（図示せず）が連結される連結穴１４ａが設けられている。
【００１９】
操作頭部１５は、図２に示すように、外端部が塞がれたほぼ円筒状に形成され、内端面に操作軸１４の外端部が一体に設けられた構造になっている。この操作頭部１５は、外径が腕時計ケース１の本体ケース５の上下方向の長さ（高さ）よりも少し大きく形成され、内径が腕時計ケース１の本体ケース５の上下方向の長さ（高さ）よりも少し小さく、かつ筒状部材１３の大径筒部１７の外径よりも少し大きく形成されている。
【００２０】
また、この操作頭部１５は、図２に示すように、その軸方向の長さが筒状部材１３の大径筒部１７の軸方向の長さよりも長く形成されている。これにより、操作頭部１５は、操作軸１４が筒状部材１３内に挿入された際に、大径筒部１７の外周を覆って配置され、この状態で操作軸１４と共に軸方向に移動すると共に、回転するように構成されている。
【００２１】
この場合、操作頭部１５は、図２に示すように、大径筒部１７の外周に設けられた第２防水リング２０が操作頭部１５の内周面に圧接した状態で、軸方向に摺動するように構成されている。また、操作頭部１５の内端面と大径筒部１７の外端面との間には、操作頭部１５が腕時計ケース１の外面に向けて押し込まれた際に、操作頭部１５の内端面と大径筒部１７の外端面とに圧接する第３防水リング２１が配置されている。
【００２２】
これにより、スイッチ装置３は、図２に示すように、操作頭部１５が腕時計ケース１の外面に向けて押されて、操作軸１４が腕時計ケース１の内部に押し込まれた際に、操作軸１４に連結された巻真（図示せず）が時計モジュール１１内に押し込まれることにより、巻真の動作が時計モジュール１１に伝わらない非伝達状態になるように構成されている。
【００２３】
このため、このスイッチ装置３は、図２に示すように、操作軸１４に連結された巻真（図示せず）が時計モジュール１１内に押し込まれて、巻真が時計モジュール１１に対して非伝達状態のときに、操作頭部１５を回転操作させて操作軸１４が巻真を回転させても、巻真の回転が時計モジュール１１に伝達されないため、時計モジュール１１の時刻修正などの操作が行われないように構成されている。
【００２４】
また、このスイッチ装置３は、図２に示すように、操作頭部１５が腕時計ケース１の外部に向けて引き出されて、操作軸１４が腕時計ケース１の外部に向けてスライドした際に、操作軸１４に連結された巻真（図示せず）が時計モジュール１１内を移動して時計モジュール１１を動作可能な状態で連結されるように構成されている。
【００２５】
このため、このスイッチ装置３は、操作頭部１５が腕時計ケース１の外部に向けて引き出されて、巻真（図示せず）が時計モジュール１１を動作可能に連結された状態で、操作頭部１５を回転操作させて操作軸１４が巻真を回転させた際に、巻真の回転が時計モジュール１１に伝達されることにより、時計モジュール１１の時刻修正などの操作が行えるように構成されている。
【００２６】
ところで、腕時計ケース１の下部に取り付けられる蓋部材である裏蓋９は、図２、図４および図５に示すように、腕時計ケース１の本体ケース５の下側開口部を塞ぐ蓋本体２３と、この蓋本体２３を本体ケース５に取り付ける取付部２４と、を備えている。蓋本体２３は、ほぼ円板状に形成され、時計モジュール１１の外径よりも内側に対応する箇所に凸部２５と凹部２６とが設けられた構造になっている。
【００２７】
この蓋本体２３の凸部２５は、図４および図５に示すように、水圧などの外圧による蓋本体２３の変形を抑制するためのものであり、蓋本体２３の裏面である外面における平面を第１基準面９ａとして、蓋本体２３の中心部に向けて緩やかに湾曲して第１基準面９ａよりも蓋本体２３の裏面である外面つまり下面の下側に突出する湾曲凸形状に形成されている。
【００２８】
また、蓋本体２３の凹部２６は、図４および図５に示すように、時計モジュール１１に対してクリアランスを設けるためのものであり、蓋本体２３の内面における平面を第２基準面９ｂとして、凸部２５に対応した状態で、蓋本体２３の中心部に向けて緩やかに湾曲して第２基準面９ｂよりも蓋本体２３の裏面である外面つまり下面の下側に向けて窪む湾曲凹形状に形成されている。
【００２９】
すなわち、蓋本体２３の凸部２５は、図５（ｂ）に示すように、蓋本体２３の中心部に向けて緩やかに湾曲しながら第１基準面９ａよりも蓋本体２３の下側に突出する球面状の湾曲凸面に形成されている。このため、この蓋本体２３の凸部２５は、水圧などの外圧が蓋本体２３に加わった際に、その外圧を凸部２５の外周側に分散させて、蓋本体２３全体の強度を確保することにより、外圧による蓋本体２３の変形を抑えるように構成されている。
【００３０】
また、蓋本体２３の凹部２６は、図５（ｂ）に示すように、凸部２５に対応して蓋本体２３の内面である上面側に設けられ、蓋本体２３の中心部に向けて緩やかに湾曲しながら第２基準面９ｂよりも蓋本体２３の下側に向けて窪む球面状の湾曲凹面に形成されている。このため、この蓋本体２３の凹部２６は、蓋本体２３が時計モジュール１１に接触いないように、時計モジュール１１に対してクリアランスをもって蓋本体２３を配置させるように構成されている。
【００３１】
これにより、蓋本体２３は、図５（ｂ）に示すように、凹部２６によって蓋本体２３の肉厚が薄く形成されていると共に、蓋本体２３の肉厚を薄く形成しても、水圧などの外圧によって蓋本体２３が時計モジュール１１に向けて変形するのを凸部２５によって抑制するように構成されている。また、この蓋本体２３は、凹部２６によって腕時計ケース１内に収容された時計モジュール１１との間にクリアランスをもって配置されるように構成されている。
【００３２】
一方、裏蓋９の取付部２４は、図２、図４および図５に示すように、蓋本体２３の内面である上面における外周部にほぼ円筒状に設けられて、腕時計ケース１の本体ケース５の内周面にリング状の蓋パッキン１０を介して取り付けられるように構成されている。すなわち、この取付部２４は、外径が本体ケース５の内径よりも小さく形成されていることにより、取付部２４の外周面と本体ケース５の内径との間に蓋パッキン１０が配置された状態で、本体ケース５の内周面に取り付けるように構成されている。
【００３３】
この場合、取付部２４は、図２に示すように、その軸方向である上下方向の長さが、本体ケース５の下面から貫通孔１２までの長さよりも長く、かつ本体ケース５の下面からスイッチ装置３の操作軸１４までの長さよりも短く形成されている。これにより、取付部２４は、その上端部がスイッチ装置３の筒状部材１３における小径筒部１６の内端部に設けられた切欠き部１６ａ内に蓋パッキン１０と共に配置されるように構成されている。
【００３４】
このため、この裏蓋９は、図２に示すように、小径筒部１６の内端部に設けられた切欠き部１６ａ内に取付部２４の上端部が配置されることにより、本体ケース５の内周面に取り付けられる取付部２４の上下方向の長さを十分に確保して、本体ケース５の内周面に対する取付強度を確保するように構成されている。
【００３５】
また、この裏蓋９は、図２に示すように、取付部２４の上端部が小径筒部１６の内端部に設けられた切欠き部１６ａ内に配置されることにより、本体ケース５の上下方向の長さを短く形成して、腕時計全体の薄型化を図ると共に、裏蓋９の蓋本体２３と時計モジュール１１との間のクリアランスを小さくして配置されるように構成されている。
【００３６】
次に、このような腕時計の作用について説明する。
この腕時計を組み立てる場合には、まず、腕時計ケース１を組み立てる。このときには、ステンレスなどの金属製の本体ケース５の上部に防水パッキン７を介してステンレスなどの金属製のベゼルケース６を配置し、この状態で本体ケース５とベゼルケース６との境界部における内周面をレーザ光線の照射による溶接部Ｒによって接合する。
【００３７】
すなわち、本体ケース５とベゼルケース６との内周面における境界部にレーザ光線の照射する際には、レーザ光線の照射範囲が小さいので、溶着領域の上下方向の幅が小さくなる。このため、上下方向の溶接幅を広く設定する必要がないので、本体ケース５とベゼルケース６との上下方向の長さを短くして、腕時計ケース１全体の薄型化が図れる。
【００３８】
そして、腕時計ケース１の上側開口部、つまりベゼルケース６の上側開口部にガラスパッキン８ａを介して時計ガラス８を取り付けた上、腕時計ケース１の本体ケース５にスイッチ装置３および押釦スイッチ４を取り付ける。この場合、スイッチ装置３を取り付ける際には、予め、腕時計ケース１の内部にその下側から時計モジュール１１を収容して、本体ケース５の貫通孔１２に筒状部材１３を取り付ける。
【００３９】
この場合には、筒状部材１３の大径筒部１７の外端部に設けられた位置合せ部１７ａを上方に向けた状態で、小径筒部１６を腕時計ケース１の外部から貫通孔１２に圧入によって嵌め込む。これにより、筒状部材１３の大径筒部１７の内端面が腕時計ケース１の外面に当接して、大径筒部１７が腕時計ケース１の外部に配置された状態で、小径筒部１６の内端部が腕時計ケース１の内部に突出すると共に、この突出した内端部に設けられた切欠き部１６ａが下側を向いて配置される。
【００４０】
この状態で、筒状部材１３の大径筒部１７の外周に第２防水リング２０を取り付けると共に、大径筒部１７の外端部に第３防水リング２１を配置する。そして、スイッチ装置３の操作軸１４を筒状部材１３に腕時計ケース１の外部から挿入する。このときには、予め、操作軸１４の連結穴１４ａに巻真（図示せず）を挿入させて連結させると共に、操作軸１４の外周に複数の第１防水リング１８を取り付ける。
【００４１】
この状態で、操作軸１４および巻真を筒状部材１３に複数の第１防水リング１８と共に挿入させて、操作頭部１５を筒状部材１３の大径筒部１７の外周に配置させる。これにより、操作軸１４の内端部が腕時計ケース１の内部に突出すると共に、この操作軸１４に取り付けられた巻真が時計モジュール１１内に挿入されて、時計モジュール１１に連結される。
【００４２】
このときには、複数の第１防水リング１８によって操作軸１４の外周面と筒状部材１３の内周面との間の防水が図れると共に、第２防水リング２０によって操作頭部１５の内周面と大径筒部１７の外周面との間の防水が図れる。また、このときには、操作頭部１５の内端面と大径筒部１７の外端面との間に第３防水リング２１が挟まれて防水が図られる。これにより、スイッチ装置３が腕時計ケース１に組み付けられる。
【００４３】
そして、腕時計ケース１の下部に裏蓋９を取り付ける。このときには、予め、裏蓋９の取付部２４の外周に蓋パッキン１０を取り付け、この状態で裏蓋９の蓋本体２３を腕時計ケース１の本体ケース５の下側開口部に対応させて、取付部２４を蓋パッキン１０と共に本体ケース５内に下側から嵌め込む。このときには、取付部２４の上端部が操作軸１４に接触することなく小径筒部１６の内端部に設けられた切欠き部１６ａ内に配置される。このため、操作軸１４が取付部２４の上端部の影響を受けずにスライド操作する。
【００４４】
すなわち、取付部２４の上端部が小径筒部１６の内端部に設けられた切欠き部１６ａ内に配置されることにより、本体ケース５の内周面に取り付けられる取付部２４の上下方向の長さを十分に確保して、本体ケース５の内周面に対する取付強度が確保される。このため、この裏蓋９は、取付部２４が小径筒部１６の内端部に設けられた切欠き部１６ａ内に配置されることにより、蓋本体２３と時計モジュール１１との間のクリアランスを小さくすることができるので、腕時計全体の薄型化が図れる。
【００４５】
このように組み立てられた腕時計は、腕時計ケース１の本体ケース５とベゼルケース６との内周面における境界部がレーザ光線の照射による溶接部Ｒによって接合されていると共に、裏蓋９の取付部２４の上端部が、腕時計ケース１内に突出した筒状部材１３の小径筒部１６の内端部に当接することなく、小径筒部１６の内端部に設けられた切欠き部１６ａ内に配置されることによって、腕時計ケース１全体の薄型化が図れる。
【００４６】
また、この腕時計の裏蓋９は、時計モジュール１１の外径よりも内側に対応する蓋本体２３の箇所の凸部２５が、蓋本体２３の中心部に向けて緩やかに湾曲して第１基準面９ａよりも蓋本体２３の下側に突出する球面状の湾曲凸形状に形成されていることにより、蓋本体２３全体の強度が確保され、水圧などの外圧による蓋本体２３の変形が抑えられる。
【００４７】
また、この腕時計の裏蓋９は、蓋本体２３の凹部２６が、凸部２５に対応する蓋本体２３の箇所において、蓋本体２３の中心部に向けて緩やかに湾曲して第２基準面９ｂよりも蓋本体２３の下側に向けて窪む球面状の湾曲凹形状に形成されていることにより、蓋本体２３の肉厚を薄く形成することができると共に、時計モジュール１１と蓋本体２３との間にクリアランスを確保することができる。このため、この腕時計は、蓋本体２３の凸部２５と凹部２６とによって、腕時計ケース１全体の薄型化が図れる。
【００４８】
この場合、この腕時計は、蓋本体２３の肉厚を薄く形成しても、時計モジュール１１の外径よりも内側に対応する蓋本体２３の箇所の凸部２５が、蓋本体２３の中心部に向けて緩やかに湾曲して第１基準面９ａよりも蓋本体２３の下側に突出する球面状の湾曲凸面に形成されて、蓋本体２３全体の強度が高められることにより、裏蓋９が水圧などの外圧を受けても、蓋本体２３の変形が抑えられる。
【００４９】
すなわち、この裏蓋９は、水圧などの外圧を受けた際に、その外圧が凸部２５の外周に向けて分散されることにより、蓋本体２３全体の強度を高めて蓋本体２３の変形が抑制される。このため、腕時計ケース１内に収容された時計モジュール１１と蓋本体２３との間のクリアランスを小さく設定して、腕時計全体の薄型化が図れる。
【００５０】
このように、この腕時計の裏蓋９によれば、時計モジュール１１を収容する腕時計ケース１の下側開口部を塞ぐ蓋本体２３を備え、この蓋本体２３における時計モジュール１１の外径よりも内側に対応する箇所に、蓋本体２３の裏面である外面の下面における平面を第１基準面９ａとして、この第１基準面９ａよりも蓋本体２３の下面側に突出する凸部２５と、蓋本体２３の内面における平面を第２基準面９ｂとして、この第２基準面９ｂよりも蓋本体２３の下面側に向けて窪む凹部２６と、が設けられていることにより、蓋本体２３の強度および時計モジュール１１に対して、クリアランスを確保して薄型化を図ることができる。
【００５１】
すなわち、この腕時計の裏蓋９では、時計モジュール１１の外径よりも内側に対応する蓋本体２３の箇所に、蓋本体２３の裏面である外面の下面における平面を第１基準面９ａとして、この第１基準面９ａよりも蓋本体２３の下面側に突出して設けられた凸部２５によって、蓋本体２３の強度を確保することができるので、水圧などの外圧による蓋本体２３の変形を抑制することができる。
【００５２】
また、この腕時計の裏蓋９では、凸部２５に対応する蓋本体２３の箇所に、蓋本体２３の内面における平面を第２基準面９ｂとして、この第２基準面９ｂよりも蓋本体２３の下面側に向けて窪んで設けられた凹部２６によって、時計モジュール１１に対してクリアランスを設けることができるので、時計モジュール１１と蓋本体２３との間にクリアランスを確保することができると共に、蓋本体２３の肉厚を薄く形成することができるので、腕時計全体の薄型化を図ることができる。
【００５３】
この場合、蓋本体２３の凸部２５は、蓋本体２３の中心部に向けて緩やかに湾曲して第１基準面９ａよりも蓋本体２３の裏面の外部側に突出する湾曲凸形状に形成されていることにより、蓋本体２３の肉厚を薄く形成しても、水圧などの外圧に対する蓋本体２３の強度を確保すことができるので、水圧などの外圧によって時計モジュール１１に向かう蓋本体２３の変形を確実に抑えることができ、これにより蓋本体２３と時計モジュール１１との間にクリアランスを確保して、腕時計全体の薄型化を図ることができる。
【００５４】
すなわち、この蓋本体２３の凸部２５は、蓋本体２３の中心部に向けて緩やかに湾曲しながら第１基準面９ａよりも蓋本体２３の下側に突出する球面状の湾曲凸面に形成されていることにより、水圧などの外圧が加わった際に、その外圧を凸部２５の外周側に分散させることができるので、蓋本体２３全体の強度を十分に高めることができ、水圧などの外圧による蓋本体２３の変形を確実にかつ良好に抑えることができる。
【００５５】
また、この蓋本体２３では、凹部２６が凸部２５に対応する蓋本体２３の箇所において、蓋本体２３の中心部に向けて緩やかに湾曲して第２基準面９ｂよりも蓋本体２３の外部側に向けて窪む湾曲凹形状に形成されていることにより、蓋本体２３の肉厚を薄く形成することができると共に、時計モジュール１１と蓋本体２３との間にクリアランスを確実にかつ良好に設けることができる。
【００５６】
このため、この裏蓋９では、凹部２６によって時計モジュール１１と蓋本体２３との間にクリアランスを確保することができると共に、蓋本体２３の肉厚を薄く形成しても、凸部２５によって蓋本体２３の強度を確保することができるので、水圧などの外圧によって時計モジュール１１に向かう蓋本体２３の変形を確実に抑えることができると共に、腕時計ケース１内に収容された時計モジュール１１と蓋本体２３との間にクリアランスを確保して、腕時計全体の薄型化を図ることができる。
【００５７】
また、この腕時計の裏蓋９では、蓋本体２３の外周部に腕時計ケース１に取り付けられる取付部２４が設けられていることにより、この取付部２４によって蓋本体２３を腕時計ケース１に確実にかつ良好に取り付けることができる。すなわち、この取付部２４は、蓋本体２３の内面である上面における外周部にほぼ円筒状に設けられて、腕時計ケース１の本体ケース５の内周面にリング状の蓋パッキン１０を介して取り付けられることにより、防水性を確保して蓋本体２３を腕時計ケース１に確実に取り付けることができる。
【００５８】
この場合、取付部２４は、その軸方向である上下方向の長さが、本体ケース５の下面から貫通孔１２までの長さよりも長く、かつ本体ケース５の下面からスイッチ装置３の操作軸１４までの長さよりも短く形成されていることにより、取付部２４の上端部をスイッチ装置３の筒状部材１３における小径筒部１６の内端部に設けられた切欠き部１６ａ内に配置させることができる。
【００５９】
このため、この裏蓋９は、小径筒部１６の内端部に設けられた切欠き部１６ａ内に取付部２４の上端部が配置されることにより、本体ケース５の内周面に取り付けられる取付部２４の上下方向の長さを十分に確保して、本体ケース５の内周面に対する取付強度を確保することができると共に、本体ケース５の上下方向の長さを短くして、蓋本体２３と時計モジュール１１との間のクリアランスを小さくすることができるので、これによっても腕時計全体の薄型化を図ることができる。
【００６０】
この場合、この腕時計では、腕時計ケース１の本体ケース５とベゼルケース６との内周面における境界部がレーザ光線の照射による溶接部Ｒによって接合されていると共に、裏蓋９の取付部２４の上端部が、腕時計ケース１内に突出した筒状部材１３の小径筒部１６の内端部に当接することなく、小径筒部１６の内端部に設けられた切欠き部１６ａ内に配置されることにより、これらによっても腕時計ケース１全体の更なる薄型化を図ることができる。
【００６１】
（第２実施形態）
次に、図６および図７を参照して、この発明を腕時計に適用した第２実施形態について説明する。なお、図１〜図５に示された第１実施形態と同一部分には同一符号を付して説明する。
この腕時計は、図６および図７に示すように、裏蓋９の蓋本体３０が第１実施形態と異なる構造であり、これ以外は第１実施形態と同じ構造になっている。
【００６２】
すなわち、この裏蓋９の蓋本体３０は、図６および図７に示すように、ほぼ円板状に形成され、時計モジュール１１の外径よりも内側に対応する箇所に、凸部２５と凹部２６とが設けられているほか、これら凸部２５と凹部２６との外周に沿って溝部３１が設けられた構造になっている。
【００６３】
この場合、凸部２５は、第１実施形態と同様、水圧などの外圧による蓋本体３０の変形を抑制するためのものである。凹部２６は、第１実施形態と同様、時計モジュール１１に対してクリアランスを設けるためのものである。また、溝部３１は、水圧などの外力が凸部２５に加わった際に、その凸部２５の変形を受け止めるためのものである。
【００６４】
すなわち、この蓋本体３０の凸部２５は、図６および図７に示すように、第１実施形態と同様、蓋本体３０の中央部に向けて緩やかに湾曲して第１基準面９ａよりも蓋本体２３の裏面である下面側に突出する球面状の湾曲凸面に形成されていることにより、蓋本体３０全体の強度を確保するように構成されている。
【００６５】
また、この蓋本体３０の凹部２６は、図６および図７に示すように、第１実施形態と同様、凸部２５に対応する蓋本体３０の箇所において、蓋本体３０の中央部に向けて緩やかに湾曲して第２基準面９ｂよりも蓋本体２３の裏面であるの下面側に向けて窪む球面状の湾曲凹面に形成されていることにより、時計モジュール１１に対してクリアランスを設けるように構成されている。
【００６６】
これにより、蓋本体３０は、図５（ｂ）に示すように、凹部２６によって蓋本体３０の肉厚が薄く形成されていると共に、蓋本体３０の肉厚を薄く形成しても、水圧などの外圧を受けた際に、第１実施形態と同様、凸部２５によって外圧を凸部２５の外周に分散させることにより、時計モジュール１１に向かう蓋本体３０の変形を抑制するように構成されている。
【００６７】
また、蓋本体３０の溝部３１は、図６および図７に示すように、断面形状がほぼ半円形の溝状に形成され、蓋本体３０の内面である上面側つまり第２基準面９ｂから腕時計ケース１の内部に向けて突出すると共に、蓋本体３０の外面である下面側つまり第１基準面９ａから腕時計ケース１の内部に向けて窪んだ状態で、凸部２５と凹部２６との外周に沿って円形のリング状に設けられている。
【００６８】
これにより、この溝部３１は、図６および図７に示すように、蓋本体３０が受けた水圧などの外圧を凸部２５でその外周に分散させた際に、その分散された外圧を受け止めることにより、時計モジュール１１に向かう蓋本体３０の変形を良好に抑えるように構成されている。
【００６９】
この場合、蓋本体３０の溝部３１は、図７（ｂ）に示すように、蓋本体３０の内面である第２基準面９ｂの上面側に突出した上端部が、腕時計ケース１内に収容された時計モジュール１１の下面に接触することなく接近して配置されている。すなわち、蓋本体３０の溝部３１は、蓋本体３０の内面である第２基準面９ｂの上面側に突出した上端部と時計モジュール１１の下面との間に僅かなクリアランスをもって、蓋本体３０を配置させるように構成されている。
【００７０】
このような第２実施形態における腕時計の裏蓋９によれば、第１実施形態と同様の作用効果があるほか、蓋本体３０における時計モジュール１１の外径よりも内側に対応する箇所に、水圧などの外圧による蓋本体３０の変形を抑制するための凸部２５と、時計モジュール１１に対してクリアランスを設けるための凹部２６と、凸部２５に加わった外力を受け止めるための溝部３１と、が設けられていることにより、第１実施形態よりも、十分な強度を確保して腕時計全体の更なる薄型化を図ることができる。
【００７１】
すなわち、この第２実施形態における腕時計の裏蓋９では、時計モジュール１１の外径よりも内側に対応する蓋本体３０の箇所に設けられた溝部３１によって、凸部２５に加わった水圧などの外力が凸部２５の外周に分散された際に、その分散された外圧を受け止めることができるので、蓋本体３０の厚みを薄く形成しても、時計モジュール１１に向かう蓋本体３０の変形を確実に抑えることができ、これにより十分な強度を確保して腕時計全体の更なる薄型化を図ることができる。
【００７２】
この場合、蓋本体３０の溝部３１は、断面形状がほぼ半円形の溝状に形成され、蓋本体３０の内面である上面側つまり第２基準面９ｂから腕時計ケース１の内部に向けて突出すると共に、蓋本体３０の外面である下面側つまり第１基準面９ａから腕時計ケース１の内部に向けて窪んだ状態で、凸部２５と凹部２６との外周に沿って円形のリング状に設けられていることにより、時計モジュール１１に向かう蓋本体３０の変形を抑えることができる。
【００７３】
すなわち、この蓋本体３０の溝部３１は、蓋本体３０が受けた水圧などの外圧を凸部２５でその外周に分散させた際に、その分散された外圧を溝部３１によって確実にかつ良好に受け止めることができるので、時計モジュール１１に向かう蓋本体３０の変形を確実にかつ良好に抑えることができる。
【００７４】
また、この蓋本体３０の溝部３１は、蓋本体３０の内面である第２基準面９ｂの上面側に突出した上端部が、腕時計ケース１内に収容された時計モジュール１１の下面に接触することなく接近して配置されていることにより、蓋本体３０の内面である第２基準面９ｂの上面側に突出した上端部と時計モジュール１１の下面との間に僅かなクリアランスを設ければ良いので、これによっても腕時計全体の更なる薄型化を図ることができる。
【００７５】
なお、上述した第１、第２実施形態では、蓋本体２３、３０に凸部２５と凹部２６とを互いに対応させて設けた場合について述べたが、この発明は、これに限らず、例えば図８に示された変形例のように、腕時計ケース１内に収容された時計モジュール１１の外径よりも内側に対応する蓋本体３５の箇所に平坦な形状の凹部３６を設け、この凹部３６に対応する蓋本体３５の下面に球面状に湾曲して突出する湾曲凸形状の凸部３７を設けた構造であっても良い。
【００７６】
また、上述した変形例では、蓋本体３５に凹部３６と凸部３７とを設けた構造である場合について述べたが、この発明は、これに限らず、例えば蓋本体３５に平坦な形状の凹部３６のみを設けた構造であっても良く、また蓋本体３５に球面状に湾曲して突出する湾曲凸形状の凸部３７のみを設けた構造であっても良い。
【００７７】
また、上述した第１、第２実施形態およびその変形例では、蓋本体２３に凸部２５と凹部２６とを円形状に設けた場合について述べたが、この発明は、必ずしも凸部２５と凹部２６とを円形状に形成する必要はなく、例えば三角形状、四角形状、五角形状などの多角形状、または星形状、あるいは楕円形状に形成しても良い。
【００７８】
また、上述した第１、第２実施形態およびその変形例では、時計モジュール１１の外径よりも内側に対応する蓋本体２３、３０、３５の箇所に、凹部２６、３６を設けた場合について述べたが、この発明は、これに限らず、例えば時計モジュール１１がアンテナを備えている場合、このアンテナに対応する蓋本体２３、３０、３５の箇所に、上述した凹部２６、３６のほかに、アンテナ凹部を設けた構成であっても良い。この場合には、アンテナが耐磁板を介してアンテナ凹部に対応して配置されるようにすれば良い。
【００７９】
さらに、上述した第１、第２実施形態およびその変形例では、腕時計に適用した場合について述べたが、この発明は、必ずしも腕時計である必要はなく、例えばトラベルウオッチ、目覚まし時計、置き時計、掛け時計などの各種の時計にも適用することができる。
【００８０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８１】
（付記）
請求項１に記載の発明は、モジュールを収容するケースの開口部を塞ぐ蓋本体を備え、前記モジュールの外径よりも内側に対応する前記蓋本体の箇所には、前記蓋本体の外面における平面を第１基準面として、前記第１基準面よりも前記外面側に突出する凸部と、前記蓋本体の内面における平面を第２基準面として、前記第２基準面よりも前記外面側に向けて窪む凹部とのうち、少なくとも一方が設けられていることを特徴とする蓋部材である。
【００８２】
請求項２に記載の発明は、請求項１に記載の蓋部材において、前記凸部と前記凹部との両方を備えていることを特徴とする蓋部材である。
【００８３】
請求項３に記載の発明は、請求項１または請求項２に記載の蓋部材において、前記凸部は、前記蓋本体の中心部に向けて緩やかに湾曲して前記ケースの外部側に突出する湾曲凸形状に形成されていることを特徴とする蓋部材である。
【００８４】
請求項４に記載の発明は、請求項１〜請求項３のいずれかに記載の蓋部材において、前記凹部は、前記凸部に対応した状態で、前記蓋本体の中心部に向けて緩やかに湾曲して前記ケースの外部側に向けて窪む湾曲凹形状に形成されていることを特徴とする蓋部材である。
【００８５】
請求項５に記載の発明は、請求項３または請求項４に記載の蓋部材において、前記凸部の外周部または前記凹部の外周部には、溝部が設けられていることを特徴とする蓋部材である。
【００８６】
請求項６に記載の発明は、請求項１〜請求項５のいずれかに記載の蓋部材において、前記モジュールはアンテナを備えており、前記凹部は前記アンテナに対応するアンテナ凹部を備えていることを特徴とする蓋部材である。
【００８７】
請求項７に記載の発明は、請求項１〜請求項６のいずれかに記載の蓋部材において、前記蓋本体の外周部には、前記ケースに前記蓋本体を取り付けるための取付部が設けられていることを特徴とする蓋部材である。
【００８８】
請求項８に記載の発明は、請求項１〜請求項７のいずれかに記載された蓋部材を備えていることを特徴とする時計である。
【符号の説明】
【００８９】
１  腕時計ケース
３  スイッチ装置
５  本体ケース
６  ベゼルケース
９  裏蓋
９ａ  第１基準面
９ｂ  第２基準面
１０  蓋パッキン
１１  時計モジュール
１２  貫通孔
１３  筒状部材
１４  操作軸
１５  操作頭部
１６  小径筒部
１６ａ  切欠き部
１７  大径筒部
１７ａ  位置合せ部
２３、３０、３５  蓋本体
２４  取付部
２５、３７  凸部
２６、３６  凹部
３１  溝部
【図１】
2019168407.tif 000003
【図２】
2019168407.tif 000004
【図３】
2019168407.tif 000005
【図４】
2019168407.tif 000006
【図５】
2019168407.tif 000007
【図６】
2019168407.tif 000008
【図７】
2019168407.tif 000009
【図８】
2019168407.tif 000010